(57)【要約】【課題】ワイヤホルダ８における懸架用ワイヤ７用の貫通孔への緩衝用弾性体の注入を安定して行え、しかも弾性体の必要量を低減できる対物レンズ駆動装置を提供することを目的とする。【解決手段】ワイヤホルダ８における懸架用ワイヤ７の貫通孔は、レンズ用ホルダ２の側に形成された第１の弾性体受け部８ａと、第１の弾性体受け部８ａに隣接して前記ワイヤ固定部材側に形成された第２の弾性体受け部８ｂと、第１の弾性体受け部８ａと第２の弾性体受け部８ｂとを連通し前記第１の弾性体受け部よりも小径のワイヤ貫通用穴部８ｃとで構成したことを特徴とする。【選択図】図３
2007200461.tif 000002
【特許請求の範囲】
【請求項１】
対物レンズを保持するレンズ用ホルダと、前記レンズ用ホルダに結合している複数の懸架用ワイヤと、前記懸架用ワイヤを保持しワイヤの長さ方向に弾性変形可能なワイヤ固定部材と、前記複数の懸架用ワイヤのそれぞれが通る貫通孔を有するワイヤホルダと、前記ワイヤホルダの貫通孔にはワイヤの周囲に充填した弾性体とを有する対物レンズ駆動装置であって、
前記ワイヤホルダの前記貫通孔は、
前記レンズ用ホルダの側に形成された第１の弾性体受け部と、
前記第１の弾性体受け部に隣接して前記ワイヤ固定部材側に形成された第２の弾性体受け部と、
前記第１の弾性体受け部と前記第２の弾性体受け部とを連通し前記第１の弾性体受け部よりも小径のワイヤ貫通穴と
で構成されている
対物レンズ駆動装置。
【請求項２】
前記ワイヤホルダの前記貫通孔は、
前記懸架用ワイヤに対して垂直な壁により前記第１の弾性体受け部と前記第２の弾性体受け部に分けられ、ほぼ前記ワイヤが挿通するだけのワイヤ貫通穴を前記壁に形成して前記第１の弾性体受け部と前記第２の弾性体受け部とを連通して構成されている
対物レンズ駆動装置。
【請求項３】
懸架用ワイヤ挿通される前記第１の弾性体受け部と前記第２の弾性体受け部および前記ワイヤ貫通穴のうち、前記第１の弾性体受け部と前記第２の弾性体受け部に緩衝用弾性体を充填し、前記ワイヤ貫通穴に緩衝用弾性体が充填されていない
請求項１記載の対物レンズ駆動装置。
【請求項４】
前記ワイヤホルダの貫通孔の両端には、前記第１の弾性体受け部に弾性体を注入するための第１の注入部と、前記第２の弾性体受け部に弾性体を注入するための第２の注入部とを有している
請求項１記載の対物レンズ駆動装置。
【発明の詳細な説明】
【技術分野】
【０００１】
この発明は、ＤＶＤプレーヤ等に装備される光ピックアップ装置等の対物レンズ駆動装置に係り、詳しくはレンズ用ホルダが複数本の懸架用ワイヤを介して懸架されている対物レンズ駆動装置に関するものである。
【背景技術】
【０００２】
ＤＶＤプレーヤ等に装備される光ピックアップ装置の対物レンズ駆動装置では、対物レンズがレンズ用ホルダに装着され、複数本の懸架用ワイヤが、一端側においてレンズ用ホルダに固定され、他端側においてワイヤ固定部材に保持され、レンズ用ホルダが、光ディスクに直角のフォーカス方向及び光ディスクの放射方向としてのトラッキング方向へ変位自在になっている。また、ワイヤのある範囲において、周囲にゲル状の弾性体材料を充填することにより、ワイヤの振動を緩和している。
【０００３】
図４は従来の対物レンズ駆動装置の一例を示す平面図である。
対物レンズ１はレンズホルダ２によって接着保持され、レンズホルダ２には複数本の懸架用ワイヤ７の端部と半田などにより固定される。懸架用ワイヤ７の他方の端部は、ワイヤ保持部１２に対して半田などにより固定される。
【０００４】
図５は図４のワイヤ保持部１２の斜視図である。
ワイヤ保持部１２は、ワイヤを半田固定する板状のワイヤ固定部材１４と、このワイヤ固定部材１４を保持するワイヤホルダ１３によって構成されている。ワイヤホルダ１３にはワイヤのそれぞれが通る貫通孔１３ａが形成されている。ワイヤ固定部材１４のワイヤ固定部１４ａの周辺は、懸架用ワイヤ７の座屈変形を緩和するため、懸架用ワイヤ７の座屈方向に対して弾性変形可能となっている。ワイヤホルダ１３の貫通孔１３ａにゲル状の弾性体１５を充填することにより、懸架用ワイヤ７の周辺およびワイヤ固定部材１４の弾性変形部には弾性体１５が接触する。
【０００５】
懸架用ワイヤ７へのゲル状材料の接触長さＡは、例えば３．５ｍｍである。前記弾性体１５によって懸架用ワイヤ７およびワイヤ固定部材１４の振動が緩和され、対物レンズ駆動装置の共振が抑制される。
【特許文献１】特開平７−２２５９６０号公報
【発明の開示】
【発明が解決しようとする課題】
【０００６】
図６および図７は対物レンズ駆動装置のフォーカシング方向およびトラッキング方向の周波数特性図である。フォーカシング方向およびトラッキング方向とも、６０Ｈｚに１次共振のピークを有している。また、フォーカシング方向においては６５０Ｈｚ、トラッキング方向においては２．６ｋＨｚに、懸架用ワイヤ７の座屈による不要な共振が発生している。
【０００７】
対物レンズ駆動装置のコスト抑制のためには、高価な前記弾性体の使用量の抑制が望ましい。前記弾性体の懸架用ワイヤ７への接触長さＡを減少させると、前記弾性体の使用量を減らすことができるが、懸架用ワイヤ７の変形が大きい箇所に前記弾性体が接触しなくなり、１次共振のピークが増大する。共振のピークの増大により、対物レンズ１のフォーカシング方向およびトラッキング方向への制御が困難となる。
【０００８】
懸架用ワイヤ７の座屈変形による共振を緩和するためには、ワイヤ固定部材１４のワイヤ固定部１４ａの周辺に前記弾性体を接触させるとよいが、ワイヤホルダ１３の貫通孔１３ａは、懸架用ワイヤ７を貫通させるために、ワイヤ固定部材１４の弾性変形方向に対して閉じておらず、前記弾性体によるダンピングの効果が十分に得られない。ダンピングの不足により、ワイヤの座屈変形による共振を十分に抑制することが出来ず、対物レンズ１のディスク面およびディスク溝への追従に支障となる。
【０００９】
また、図５におけるワイヤホルダ１３の構造上、前記弾性体の貫通孔１３ａへの注入は、懸架用ワイヤ７が貫通する穴部から、ワイヤ固定部材１４のワイヤ固定部１４ａに向けて行う必要がある。共振を安定して抑制するためには、貫通孔１３ａおよびワイヤ固定部材１４のワイヤ固定部１４ａに前記弾性体が十分に充填されている必要があるが、前記弾性体は粘性が高いため、安定した注入を行うためには高精度の注入条件が必要となり、前記弾性体の注入作業の失敗による不良品の発生の原因となる。
【００１０】
この発明の目的は、このような問題点を解消できる対物レンズ駆動装置を提供することである。
【課題を解決するための手段】
【００１１】
本発明の請求項１記載の対物レンズ駆動装置は、対物レンズを保持するレンズ用ホルダと、前記レンズ用ホルダに結合している複数の懸架用ワイヤと、前記懸架用ワイヤを保持しワイヤの長さ方向に弾性変形可能なワイヤ固定部材と、前記複数の懸架用ワイヤのそれぞれが通る貫通孔を有するワイヤホルダと、前記ワイヤホルダの貫通孔にはワイヤの周囲に充填した弾性体とを有する対物レンズ駆動装置であって、前記ワイヤホルダの前記貫通孔は、前記レンズ用ホルダの側に形成された第１の弾性体受け部と、前記第１の弾性体受け部に隣接して前記ワイヤ固定部材側に形成された第２の弾性体受け部と、前記第１の弾性体受け部と前記第２の弾性体受け部とを連通し前記第１の弾性体受け部よりも小径のワイヤ貫通穴とで構成されていることを特徴とする。
【００１２】
この構成によると、第１の弾性体受け部と第２の弾性体受け部は、懸架用ワイヤをワイヤ固定部材まで貫通させるために、ワイヤの移動範囲に干渉しない広さのワイヤ貫通用穴によって繋がっているが、このワイヤ貫通用穴部に緩衝体は充填しないことによって緩衝体を充填する範囲は減少し、緩衝体の使用量の大幅な減少が可能である。ワイヤ貫通用穴部は、第１の弾性体受け部と比較して懸架用ワイヤのフォーカシング方向およびトラッキング方向への弾性変形による変位量が非常に小さいため、ワイヤ貫通用穴に緩衝体が充填されていなくても、懸架用ワイヤのダンピング効果は十分確保されるため、対物レンズ駆動装置の１次共振の抑制に影響が無い。
【００１３】
本発明の請求項２記載の対物レンズ駆動装置は、請求項１において、前記ワイヤホルダの前記貫通孔は、前記懸架用ワイヤに対して垂直な壁により前記第１の弾性体受け部と前記第２の弾性体受け部に分けられ、ほぼ前記ワイヤが挿通するだけのワイヤ貫通穴を前記壁に形成して前記第１の弾性体受け部と前記第２の弾性体受け部とを連通して構成されていることを特徴とする。
【００１４】
この構成によると、第１の弾性体受け部と第２の弾性体受け部を、弾性体受け部と比較して狭いワイヤ貫通用穴によって繋いだため、懸架用ワイヤ保持部の振動方向に対して壁を有している。第２の弾性体受け部が、ワイヤ固定部材の弾性変形方向に対して閉じた構造となっているため、緩衝用の弾性体はワイヤ固定部材の振動を十分に抑制することが可能となり、懸架用ワイヤの座屈による対物レンズ駆動装置の不要な共振を緩和することができる。
【００１５】
本発明の請求項３記載の対物レンズ駆動装置は、請求項１において、懸架用ワイヤが挿通される前記第１の弾性体受け部と前記第２の弾性体受け部および前記ワイヤ貫通穴のうち、前記第１の弾性体受け部と前記第２の弾性体受け部に緩衝用弾性体を充填し、前記ワイヤ貫通穴に緩衝用弾性体が充填されていないことを特徴とする。
【００１６】
本発明の請求項４記載の対物レンズ駆動装置は、請求項１において、前記ワイヤホルダの貫通孔の両端には、前記第１の弾性体受け部に弾性体を注入するための第１の注入部と、前記第２の弾性体受け部に弾性体を注入するための第２の注入部とを有していることを特徴とする。
【００１７】
この構成によると、緩衝用の弾性体を第１の弾性体受け部と第２の弾性体受け部へ個別に注入することができ、弾性体が安定して充填されることにより、対物レンズ駆動装置の周波数特性を安定させることが可能となるとともに、緩衝体の注入作業が容易となる。
【発明の効果】
【００１８】
この構成によると、緩衝用の弾性体の充填量を低減しても良好な緩衝性能を発揮することができる。
【発明を実施するための最良の形態】
【００１９】
以下、本発明の対物レンズ駆動装置を実施の形態に基づいて説明する。
図１は光ピックアップ装置の対物レンズ駆動装置の斜視図である。
光ピックアップ装置は、ＤＶＤやＣＤなどの光ディスク記録再生装置に搭載されるものであり、フォーカシング方向はディスクの面に直角の方向、トラッキング方向はディスクの半径方向を示している。また接線方向はフォーカシング方向およびトラッキング方向に対して直角方向を示している。ディスクに光線を照射する対物レンズ１は、レンズホルダ２に接着固定される。フォーカシングコイル３は、長方形状にコイルを巻回したものから成り、軸線をフォーカシング方向とし、レンズホルダ２に接着固定される。２個のトラッキングコイル４は、長方形状にコイルを巻回したものから成り、軸線を接線方向とし、フォーカシングコイルの一方の長辺部外周側に接着固定されている。
【００２０】
レンズホルダには４本の懸架用ワイヤ７の一端が、フォーカシングコイル３およびトラッキングコイル４のコイル端とともに、半田などにより固定される。懸架用ワイヤ７の他端は、プリント基板状のワイヤ固定部材９に半田などにより固定される。懸架用ワイヤ７の弾性変形により、対物レンズ１、レンズホルダ２、フォーカシングコイル３、トラッキングコイル４から成る可動体１１は、フォーカシング方向およびトラッキング方向に変位可能となる。
【００２１】
フォーカシングコイル３およびトラッキングコイル４に近接した位置に、マグネット５ａ，５ｂが配置され、ワイヤ固定部材９および懸架用ワイヤ７からフォーカシングコイル３およびトラッキングコイル４に電流が供給されることにより、可動体１１を動作させるための駆動力が発生する。フォーカシング方向およびトラッキング方向の駆動力を制御することにより、対物レンズはディスクの回転時に発生する面ぶれ、偏心に追従することができる。ワイヤ固定部材９は、ワイヤホルダ８に固定され、ワイヤホルダ８は、ベース１０に固定される。マグネット５ａ，５ｂはヨーク６ａ，６ｂに固定され、ヨーク６ａ，６ｂはベース１０に固定される。
【００２２】
図２はワイヤホルダ８およびワイヤ固定部材９の斜視図、図３はワイヤホルダ８、ワイヤ固定部材９、懸架用ワイヤ７の組み立て状態における弾性体受け部の断面図である。
ワイヤ固定部材９のワイヤ固定部９ａの周辺は、懸架用ワイヤ７の座屈変形を緩和するため、懸架用ワイヤ７の座屈方向に対して弾性変形可能となっている。ワイヤホルダ８の各懸架用ワイヤ７の挿通位置には、ワイヤ貫通用穴部８ｃがそれぞれ形成されている。
【００２３】
さらに、ワイヤホルダ８には、ワイヤ貫通用穴部８ｃに隣接してワイヤホルダ８のレンズホルダ２の側に第１の弾性体受け部８ａが形成されており、ワイヤ貫通用穴部８ｃに隣接してワイヤホルダ８のワイヤ固定部材９の側に第２の弾性体受け部８ｂが形成されている。この実施の形態では、ワイヤ貫通用穴部８ｃは各懸架用ワイヤ７ごとに独立して形成されているのに対して、第１の弾性体受け部８ａと第２の弾性体受け部８ｂとは、上下に隣接した懸架用ワイヤ７ごとに、ワイヤホルダ８のレンズホルダ２の側に２つの第１の弾性体受け部８ａが形成され、ワイヤホルダ８のワイヤ固定部材９の側に２つの第２の弾性体受け部８ｂが形成されている。
【００２４】
つまり、第１の弾性体受け部８ａと第２の弾性体受け部８ｂとは、前記懸架用ワイヤ７に対して垂直な壁８ｆにより分けられており、さらに、この壁８ｆに形成された小径のワイヤ貫通用穴部８ｃによって連通されている。さらに詳しくは、ワイヤ貫通用穴部８ｃはワイヤ７がほぼ挿通するだけ小径である。
【００２５】
第１の弾性体受け部８ａに対応してワイヤホルダ８には、図２に示すように各第１の弾性体受け部８ａと第２の弾性体受け部８ｂに弾性体を注入するための第１の注入部としての第１の切り欠き８ｄと、第２の弾性体受け部８ｂに弾性体を注入するための第２の注入部としての第２の切り欠き８ｅが形成されている。
【００２６】
このように、第１の切り欠き８ｄと第２の切り欠き８ｅを形成したことによって、ここから第１，第２の弾性体受け部８ａ，８ｂに容易に弾性体を安定して充填することができる。
【００２７】
また、第１，第２の切り欠き８ｄ，８ｅから第１，第２の切り欠き８ｄ，８ｅへ個別に弾性体１５を注入して充填することができ、弾性体を注入する深さが減少したことにより、容易に弾性体を安定して充填することができる。
【００２８】
さらに、第１，第２の弾性体受け部８ａ，８ｂに弾性体１５を充填しても、ワイヤ貫通用穴部８ｃには弾性体１５を充填しないようにすることによって、弾性体１５の必要量を従来に比べて低減できる。
【００２９】
懸架用ワイヤ７への第１の弾性体受け部８ａにおける弾性体１５の接触長さＢは、例えば１．５ｍｍ、懸架用ワイヤ７への第２の弾性体受け部８ｂにおけるワイヤ固定部材９の上面までの弾性体１５の接触長さＣは、例えば０．５ｍｍであり、ワイヤ貫通用穴部８ｃの範囲に弾性体１５を充填しないために弾性体１５の使用量は減少する。
【００３０】
このように、第１の弾性体受け部８ａに緩衝用の弾性体１５を充填することにより、懸架用ワイヤ７の周辺に弾性体１５が接触する。ワイヤ貫通用穴部８ｃにおける懸架用ワイヤ７は、ワイヤ固定側に近く、弾性変形量が少ないため、ワイヤ貫通用穴部８ｃには弾性体１５が充填されていなくてもワイヤのダンピングへの影響は少なく、第１の弾性体受け部８ａに充填された弾性体１５によって対物レンズ駆動装置の一次共振は十分抑制される。
【００３１】
第２の弾性体受け部８ｂに緩衝用の弾性体１５を充填することにより、ワイヤ固定部材９の弾性変形可能なワイヤ固定部９ａの周辺に弾性体１５が接触する。ワイヤ貫通用穴部８ｃの面積は、第２の弾性体受け部８ｂの面積に対して十分小さいので、第２の弾性体受け部８ｂはワイヤ固定部９ａの弾性変形方向に対して閉じているとみなすことができ、弾性体のダンピング効果が十分得られる。ワイヤ固定部９ａが十分ダンピングされることにより、懸架用ワイヤの座屈による対物レンズ駆動装置の不要な共振を緩和することができる。
【００３２】
図８および図９は本発明における対物レンズ駆動装置のフォーカシング方向およびトラッキング方向の周波数特性図である。フォーカシング方向およびトラッキング方向とも、従来と同等の１次共振の特性を有しており、フォーカシング方向の６５０Ｈｚ、トラッキング方向の２．６ｋＨｚにおける、懸架用ワイヤ７の座屈による不要な共振が抑制されている。
【産業上の利用可能性】
【００３３】
本発明は対物レンズ駆動装置を使用した各種の光ディスクドライブ装置の性能の向上に寄与できる。
【図面の簡単な説明】
【００３４】
【図１】本発明の対物レンズ駆動装置の斜視図
【図２】同実施の形態のワイヤホルダおよびワイヤ固定部材の斜視図
【図３】同実施の形態のワイヤホルダ、ワイヤ固定部材、懸架用ワイヤの組み立て状態における弾性体受け部の断面図
【図４】従来の対物レンズ駆動装置の平面図
【図５】同従来例のワイヤ保持部の斜視図
【図６】同従来例のフォーカシング方向の周波数特性図
【図７】同従来例のトラッキング方向の周波数特性図
【図８】本発明の実施の形態のフォーカシング方向の周波数特性図
【図９】同実施の形態のトラッキング方向の周波数特性図
【符号の説明】
【００３５】
１    対物レンズ
２    レンズホルダ
３    フォーカシングコイル
４    トラッキングコイル
５ａ，５ｂ    マグネット
６ａ，６ｂ    ヨーク
７    懸架用ワイヤ
８    ワイヤホルダ
８ａ    第１の弾性体受け部
８ｂ    第２の弾性体受け部
８ｃ    ワイヤ貫通用穴部
８ｄ    第１の切り欠き（第１の注入部）
８ｅ    第２の切り欠き（第２の注入部）
８ｆ    ワイヤホルダ８の壁
９    ワイヤ固定部材
９ａ    ワイヤ固定部
１０    ベース
１１    可動体
１５    弾性体
【図１】
2007200461.tif 000003
【図２】
2007200461.tif 000004
【図３】
2007200461.tif 000005
【図４】
2007200461.tif 000006
【図５】
2007200461.tif 000007
【図６】
2007200461.tif 000008
【図７】
2007200461.tif 000009
【図８】
2007200461.tif 000010
【図９】
2007200461.tif 000011